(57)【要約】【課題】  出力する記録紙に対応する複数ページの画像に送信画像を分割した場合であっても、これら複数ページの画像のつながりを明確に把握することができる画像形成装置を提供する。【解決手段】  出力する記録紙のサイズよりも大きな送信画像を受信し、送信画像を第１及び第２の画像に分割する画像分割部８２と、第１の画像の最終ラインから、第２のメモリ領域の空き領域の容量に相当する所定ラインの画像を補助画像として抽出する補助画像抽出部８５と、補助画像を第２の画像Ｇ２と併せて２枚目の記録紙に印刷されるように、画像メモリ４の画像データを更新するメモリ更新部８６とを備える。【選択図】      図２
2005161568.tif 000002
【特許請求の範囲】
【請求項１】
通信可能に接続された相手機から送信され、出力紙よりもサイズの大きな記録紙に印刷された送信画像の画像データを受信し、サイズの等しいｎ（ｎは２以上）枚の出力紙に出力する画像形成装置であって、
受信した送信画像のサイズを前記出力紙のサイズに応じて第１〜第ｎの画像からなるｎ枚の画像に分割する画像分割手段と、
第ｎの画像をｎ枚目の出力紙に印刷したときの、ｎ枚目の出力紙上の印字領域において、画像が形成されない空白領域を検出する空白領域検出手段と、
前記第ｎ−１の画像において、最終ラインから、前記空白領域のサイズに相当するラインまでの画像を、補助画像として抽出する補助画像抽出手段と、
抽出された補助画像を、第ｎの画像と併せてｎ枚目の出力紙に出力する出力手段とを備えることを特徴とする画像形成装置。
【請求項２】
前記ｎは２であり、
前記補助画像抽出手段は、前記空白領域に、前記第１の画像の全てが印刷されるように、当該第１の画像を縮小した画像を補助画像として抽出することを特徴とする請求項１記載の画像形成装置。
【請求項３】
前記補助画像抽出手段は、前記空白領域に、前記第１の画像に加えて前記第２の画像が印刷されるように、両画像を縮小した画像を補助画像として抽出することを特徴とする請求項１記載の画像形成装置。
【請求項４】
前記画像分割手段は、前記送信画像のサイズを略２等分することで当該送信画像を第１及び第２の画像に分割し、
前記空白領域検出手段は、第１の画像を１枚目の出力紙に印刷したときの、１枚目の出力紙上の前記空白領域を第１の空白領域として検出するとともに、第２の画像を２枚目の出力紙に印刷したときの、２枚目の出力紙上の前記空白領域を第２の空白領域として検出し、
前記補助画像抽出手段は、前記第１の空白領域に前記第２の画像の全てが印刷されるように、当該第２の画像を縮小した画像を第１の補助画像として抽出するとともに、前記第２の空白領域に前記第１の画像の全てが印刷されるように、当該第１の画像を縮小した画像を第２の補助画像として抽出し、
前記出力手段は、抽出された第１の補助画像を前記第１の画像と併せて１枚目の出力紙に出力するとともに、抽出された第２の補助画像を前記第２の画像と併せて２枚目の出力紙に出力することを特徴とする請求項１記載の画像形成装置。
【発明の詳細な説明】
【技術分野】
【０００１】
本発明は、出力する原稿のサイズよりも大きなサイズの送信画像を受信する画像形成装置に関する。
【背景技術】
【０００２】
従来、ファクシミリ装置及びプリンタ等の画像形成装置においては、相手機から送信された送信画像のサイズが、当該装置が出力する記録紙のサイズを越えている場合、１枚分の送信画像が、１枚分の記録紙に印刷されるように、送信画像を縮小して印刷することが行なわれている。しかしながら、このように送信画像を縮小すると、印刷される画像の画質が劣化する等の理由から、送信画像を縮小することなく、出力する記録紙のサイズに対応した複数ページの画像に分割して出力するファクシミリ装置が知られている（特許文献１）。
【特許文献１】特開１９８９−１６１９６８号公報
【発明の開示】
【発明が解決しようとする課題】
【０００３】
しかしながら、特許文献１の発明では、複数ページに分割して出力した場合、受信側のユーザは、送信画像が出力する記録紙のサイズを越えるサイズであるか知らないのが通常であるため、１枚の送信画像がその途中において、唐突に分割されると、分割された複数ページ間の記録紙において、前後のつながりを速やかに把握することが困難となり、送信画像の解読が困難になるという問題があった。
【０００４】
本発明は、上記課題を解決するためになされたものであり、送信画像を出力する記録紙のサイズに対応する複数ページの画像に分割した場合であっても、これら複数ページの画像のつながりを明確に把握することができる画像形成装置を提供することを目的とする。
【課題を解決するための手段】
【０００５】
本発明にかかる画像形成装置は、通信可能に接続された相手機から送信され、出力紙よりもサイズの大きな記録紙に印刷された送信画像の画像データを受信し、サイズの等しいｎ（ｎは２以上）枚の出力紙に出力する画像形成装置であって、受信した送信画像のサイズを前記出力紙のサイズに応じて第１〜第ｎの画像からなるｎ枚の画像に分割する画像分割手段と、第ｎの画像をｎ枚目の出力紙に印刷したときの、ｎ枚目の出力紙上の印字領域において、画像が形成されない空白領域を検出する空白領域検出手段と、前記第ｎ−１の画像において、最終ラインから、前記空白領域のサイズに相当するラインまでの画像を、補助画像として抽出する補助画像抽出手段と、抽出された補助画像を、第ｎの画像と併せてｎ枚目の出力紙に出力する出力手段とを備えることを特徴とする。
【０００６】
また、前記ｎは２であり、前記補助画像抽出手段は、前記空白領域に、前記第１の画像の全てが印刷されるように、当該第１の画像を縮小した画像を補助画像として抽出することが好ましい。
【０００７】
また、前記補助画像抽出手段は、前記空白領域に、前記第１の画像に加えて前記第２の画像が印刷されるように、両画像を縮小した画像を補助画像として抽出することが好ましい。
【０００８】
また、前記画像分割手段は、前記送信画像のサイズを略２等分することで当該送信画像を第１及び第２の画像に分割し、前記空白領域検出手段は、第１の画像を１枚目の出力紙に印刷したときの、１枚目の出力紙上の前記空白領域を第１の空白領域として検出するとともに、第２の画像を２枚目の出力紙に印刷したときの、２枚目の出力紙上の前記空白領域を第２の空白領域として検出し、前記補助画像抽出手段は、前記第１の空白領域に前記第２の画像の全てが印刷されるように、当該第２の画像を縮小した画像を第１の補助画像として抽出するとともに、前記第２の空白領域に前記第１の画像の全てが印刷されるように、当該第１の画像を縮小した画像を第２の補助画像として抽出し、前記出力手段は、抽出された第１の補助画像を前記第１の画像と併せて１枚目の出力紙に出力するとともに、抽出された第２の補助画像を前記第２の画像と併せて２枚目の出力紙に出力することが好ましい。
【発明の効果】
【０００９】
請求項１記載の発明によれば、１枚あたりのサイズが、出力紙のサイズを越える送信画像が受信されると、当該送信画像は、１〜ｎ枚目の出力紙のそれぞれに印刷される第１〜第ｎの画像に分割され、第ｎ−１の画像の最終ラインから数えて所定ライン分の画像が補助画像として、第ｎの画像と併せてｎ枚目の出力紙に印刷される。そのため、送信画像を受信したユーザは、ｎ枚目の出力紙を見た際、当該記録紙は、出力紙のサイズに分割された送信画像のｎ枚目の画像が印刷された記録紙であることを速やかに把握することができ、また、補助画像から、対応するｎ−１枚目の出力紙を容易に特定することができる。その結果、出力紙のサイズに分割された送信画像の解読が容易となる。
【００１０】
請求項２記載の発明によれば、第１の画像の縮小画像が補助画像として、２枚目の出力紙に印刷されるため、どの画像が、２枚目の出力紙の本文であるか否かを容易に見定めることができる。そのため、対応する１枚目の出力紙をより容易に特定することができる。
【００１１】
請求項３記載の発明によれば、第１の画像と第２の画像との縮小画像が補助画像として、２枚目の出力紙に印刷されるため、送信画像に記録された画像の全体像を一目で把握することができる。
【００１２】
請求項４記載の発明によれば、１枚目の出力紙にも、第２の画像が補助画像として出力されているため、この原稿が１枚目の記録紙であることを速やかに把握することができるとともに、対応する２名目目の出力紙の特定を容易に行なうことができる。
【発明を実施するための最良の形態】
【００１３】
図１は、本発明にかかる画像形成装置をファクシミリ装置に適用したときのブロック構成図を示している。画像形成装置は、画像読取部１、画像処理部２、画像記録部３、画像メモリ４、操作部５及び通信制御部６を備えている。
【００１４】
画像読取部１は、セットされた原稿を搬送する原稿搬送部及び搬送された原稿を１ライン単位で順次読み取るラインイメージセンサ等から構成される。
【００１５】
画像処理部２は、画像読取部１によって読み取られた原稿の画像データ及び通信制御部６から出力された送信画像の画像データに対して所定の信号処理（レベル補正、γ補正、Ａ／Ｄ変換等）を施し、制御部８に出力する。
【００１６】
画像記録部３は、例えばレーザプリンタで構成され、画像メモリ４から画像データを読み出し記録紙に出力する。詳細には、レーザ光を画像データで変調し、感光体ドラムに照射して当該画像データの画像の潜像を形成する。そして、感光体ドラムにトナーを付着してトナー像を形成し、当該トナー像を記録紙に転写し、熱処理によりトナー像を記録紙に定着させる。
【００１７】
画像メモリ４は、画像読取部１により読み取られた原稿の画像データ及び相手機から送信された送信画像の画像データを記憶する。本実施形態では、例えばＡ３の記録紙１枚に印刷された画像の画像データを記憶することができる容量を備えている。また、Ａ３の左上の印字位置から右下の印字位置までの各位置（画素）毎の画像データをアドレス順に記憶している。
【００１８】
操作部５は、テンキー、ファクシミリ送信処理の開始を支持するスタートキー等の種々キー及び種々の情報を表示する表示部等から構成され、ファクシミリ装置による画像データの送信処理を行うための各種の入力操作（画像データの送信先の情報（ＦＡＸ Ｎｏ．等）の入力、ファクシミリ送信の開始／停止の指示等を受け付ける。
【００１９】
通信制御部６は、符号復号化部６１、モデム６２、ＮＣＵ（NetworkControlUnit）６３、等を備え、画像データの送受信処理等を行う。符号復号化部６１は、送信する画像データを圧縮及び符号化するとともに、受信した画像データを伸長及び復号化する。モデム６２は、所定の搬送波を、圧縮及び符号化された画像データで変調して音声信号を生成するとともに、電話回線７を介して受信した音声信号を復調し画像データを抽出する。ＮＣＵ７３は、相手機との通信接続の制御を行う。
【００２０】
制御部８は、ＣＰＵ（中央処理装置）、ＲＯＭ（リードオンリーメモリ）、ＲＡＭ（ランダムアクセスメモリ）及び専用のハードウェア回路からなり、上記各部１〜６の動作を制御して画像形成装置全体を制御する。ＲＯＭは、画像形成装置による画像データの送受信処理を行う通信プログラムや各種の処理用データが記録されたＲＯＭ（Read Only Memory）を記憶しており、ＣＰＵはこれらのプログラムを実行することにより、後述する種々の機能を実現する。
【００２１】
（第１実施形態）
図２は、第１実施形態にかかる画像形成装置の制御部８の機能ブロック図を示している。制御部８は、メモリ領域分割部８１、画像分割部８２、画像補正部８３、空き容量検出部（空白領域検出手段に相当）８４、補助画像抽出部８５及びメモリ更新部８６を備える。
【００２２】
メモリ領域分割部８１は、出力紙１枚に印刷しうる画像データのデータ量を１つの単位として、画像メモリ４を２つの領域に分割し、一方の領域を第１のメモリ領域として設定し、他方の領域を第２のメモリ領域として設定する。本実施形態では、出力紙としてＡ４サイズを用いるため、画像メモリ４は、先頭アドレスから真中のアドレスまでのメモリ領域が第１のメモリ領域として設定され、以降のアドレス領域が第２のメモリ領域として設定される。
【００２３】
画像分割部８２は、相手機からの送信画像１枚分の画像データを、画像メモリ４に展開し、第１のメモリ領域に格納された画像データを第１の画像とし、第２のメモリ領域に格納された画像データを第２の画像とし、送信画像を２枚の画像に分割する。
【００２４】
画像補正部８３は、第１の画像の最終ラインが、文字の途中のラインに該当するか否かを検出し、文字の途中のラインに該当する場合、当該ラインによって構成される文字ラインを抽出し、抽出した文字ラインを第２の画像に含ませるべく、抽出した文字ラインの画像データを第２のメモリ領域に書き込む。この場合、画像補正部８３は、抽出した文字ラインが、第２の画像の先頭ラインに印字されるように、当該文字ラインの画像データを第２のメモリ領域に書き込むとともに、第１の画像に含まれる当該文字ラインを構成する画像データを削除する。
【００２５】
空き容量検出部８４は、送信画像に印刷された画像の最後の画素データを特定し、当該画素データを格納するアドレスの次のアドレスから第２のメモリ領域の最後のアドレスまでの空きメモリ領域の容量を検出する。
【００２６】
補助画像抽出部８５は、第１の画像の最終ラインから、空き容量検出部８４によって検出された容量に相当する所定ラインまでの画像データを補助画像として抽出する。この場合、補助画像抽出部８５は、抽出した補助画像の先頭ラインが、文字の途中のラインに該当する場合、当該ラインによって構成される文字ラインに含まれる画像を抽出し、抽出した画像を補助画像から除外する。これにより、文字が途中で分断されることが防止される。
【００２７】
メモリ更新部８６は、２枚目の記録紙において、まず、抽出された補助画像が印刷され、続いて、第２の画像が印刷されるように第２のメモリ領域を更新する。
【００２８】
画像記録部３は、画像メモリ４に記憶された画像データを読み出し、１枚目の記録紙に第１の画像を印刷し、２枚目の記録紙に第２の画像と補助画像とを印刷させる。
【００２９】
図３は、第１実施形態の画像形成装置の動作を示すフローチャートである。まず、ステップＳ１において、相手機からの送信画像１枚分の画像データが受信されると（ステップＳ１でＹＥＳ）、当該送信画像は、モデム６２によって復調され（ステップＳ２）、符号復号化部６１により復号化され（ステップＳ３）、画像処理部２によって、所定の画像処理が施される（ステップＳ４）。
【００３０】
ステップＳ５において、制御部８により送信画像のサイズが記録紙のサイズよりも大きいか否かが判定され、大きい場合（ステップＳ５でＹＥＳ）、送信画像を出力する記録紙のサイズに分割する処理が施される（ステップＳ７）。一方、送信画像のサイズが記録紙のサイズ以下の場合（ステップＳ５でＮＯ）、送信画像は分割されることなく、そのまま記録紙に出力される（ステップＳ６）。
【００３１】
図４は、第１実施形態の画像形成装置のステップＳ７のサブルーチンを示したフローチャートである。ステップＳ２１において、メモリ領域分割部８１により、画像メモリ４に第１のメモリ領域と第２のメモリ領域が設定される。
【００３２】
ステップＳ２２において、画像分割部８２により、送信画像１枚分の画像データが画像メモリ４に展開される。ステップＳ２３において、第１のメモリ領域に展開された画像が第１の画像として設定され、第２のメモリ領域に展開された画像が第２の画像として設定され、送信画像が第１及び第２の画像に分割される。
【００３３】
ステップＳ２４において、画像補正部８３により、第１の画像の最終ラインが文字の途中のラインであるか否かが判定され、文字の途中のラインである場合（ステップＳ２４でＹＥＳ）、最終ラインを含む１列の文字ラインのうち、第１の画像に含まれる文字ラインの画像が第２のメモリ領域に書き込まれるとともに、当該画像が第１のメモリ領域から削除され、第１及び第２の画像が補正される（ステップＳ２５）。
【００３４】
この場合、図５に示すように、第１のメモリ領域に格納された最終ラインＥＬの画像データを含む１列の文字ラインＷＬのうち、第１のメモリ領域に格納された文字ラインＷＬ１が、第１のメモリ領域から削除されるとともに、文字ラインＷＬ１が第２のメモリ領域の先頭から格納される。これにより、１枚目の記録紙及び２枚目の記録紙間において、文字が途中で分断されて印刷されることが防止される。
【００３５】
ステップＳ２６において、空き容量検出部８４により、第２のメモリ領域の空き容量が検出される。ステップＳ２７において、補助画像抽出部８５により、第１の画像の最終ラインから、第２のメモリ領域の空き容量に相当する所定ラインまでの画像が補助画像として抽出される。
【００３６】
ステップＳ２８において、メモリ更新部８６により、２枚目の記録紙において、まず、補助画像が印刷され、続いて、第２の画像が印刷されるように第２のメモリ領域が更新される。
【００３７】
ステップＳ２９において、画像記録部３により、第１の画像が１枚目の記録紙に印刷されるとともに、第２の画像及び補助画像が２枚目の記録紙に印刷される。
【００３８】
図６は、第１実施形態の画像形成装置によって印刷された送信画像を示している。図６に示すように、送信画像の左半分に記録された１〜４行目の文字ラインからなる第１の画像Ｇ１の３及び４行目の文字ラインが補助画像Ｇ３とされ、当該補助画像Ｇ３が、第２の記録紙Ｐ２の印字領域の先頭の印刷位置から印刷され、続いて、送信画像の右半分に記録された５及び６行目の文字ラインからなる第２の画像Ｇ２が第２の記録紙Ｐ２に印刷されている。
【００３９】
このように、第１実施形態の画像形成装置によれば、２枚目の記録紙に、第１の画像の最終ラインから所定ライン分の画像が印刷されるため、ユーザは、１枚目の記録紙と２枚目の記録紙とのつながりを容易に把握することができる。
【００４０】
（第２実施形態）
図７は、第２実施形態の画像形成装置の機能ブロック図を示している。なお、第１実施形態と同一の機能を有するものは同一の符号を付し説明を省略する。補助画像抽出部８５ａは、空き容量検出部８４によって検出された第２のメモリ領域の空き領域の容量に対応する２枚目の記録紙上のスペースのサイズを特定し、特定したサイズに第１の画像の全てが印刷されるような縮小率で第１の画像を縮小し、得られた画像を補助画像として抽出する。
【００４１】
次に、第２実施形態の画像形成装置の動作についてフローチャートを用いて説明する。なお、第２実施形態のメインルーチンは、図３に示すフローチャートと同一であるため説明を省略し、図３に示すフローチャートのステップＳ７のサブルーチンである図８のみについて説明する。
【００４２】
ステップＳ３１〜Ｓ３６の処理は、図４に示すステップＳ２１〜Ｓ２６の処理と同一であるため説明を省略する。ステップＳ３７において、補助画像抽出部８５ａにより、第２のメモリ領域の空き容量に対応する２枚目の記録紙上のスペースのサイズが特定され、当該サイズに第１の画像の全てが印刷されるような縮小率で第１の画像が縮小され、補助画像とされる。
【００４３】
ステップＳ３８において、メモリ更新部８６ａにより、補助画像が第２の記録紙の先頭の印刷位置から印刷され、続いて、第２の画像が印刷されるように、第２のメモリ領域が更新される。
【００４４】
ステップＳ３９において、画像記録部３により、画像メモリ４から画像データが読み出され、１枚目の記録紙に第１の画像が印刷されるとともに、２枚目の記録紙に第２の画像及び補助画像が印刷される。
【００４５】
図９は、第２実施形態の画像形成装置によって印刷された送信画像の一例を示した図である。図９に示すように、送信画像の左半分に記録された１〜４行目の文字ラインからなる第１の画像Ｇ１の縮小画像が補助画像Ｇ３として、第２の記録紙Ｐ２の印字領域の先頭の印字位置から印刷され、補助画像Ｇ３に続いて、送信画像の右半分に記録された５，６行目の文字ラインからなる第２の画像Ｇ２が第２の記録紙Ｐ２に印刷されている。
【００４６】
（第３実施形態）
図１０は、第３実施形態の画像形成装置の機能ブロック図を示している。なお、第１実施形態と同一の機能を有するものは同一の符号を付し説明を省略する。補助画像抽出部８５ｂは、空き容量検出部によって検出された第２のメモリ領域の空き領域の容量に対応する２枚目の記録紙上のスペースのサイズを特定し、特定したサイズに第１の画像と第２の画像とが印刷されるような縮小率で第１及び第２の画像を縮小し、得られた画像を補助画像として抽出する。
【００４７】
次に、第３実施形態の画像形成装置の動作についてフローチャートを用いて説明する。なお、第３実施形態のメインルーチンは、図３に示すフローチャートと同一であるため説明を省略し、図３に示すフローチャートのステップＳ７のサブルーチンである図１１のみについて説明する。
【００４８】
ステップＳ４１〜Ｓ４６は、図４に示すステップＳ２１〜Ｓ２６と同一であるため説明を省略する。ステップＳ４７において、補助画像抽出部８５ｂにより、２枚目の記録紙上において、第２のメモリ領域の空き容量に相当するスペースのサイズが特定され、当該サイズに第１及び第２の画像の全てが印刷されるように、両画像が縮小され、得られた画像が補助画像とされる。
【００４９】
ステップＳ４８において、メモリ更新部８６により、第２の記録紙において、まず、補助画像が印刷され、続いて、第２の画像が印刷されるように、第２のメモリ領域が更新される。
【００５０】
ステップＳ４９において、画像記録部３により、画像メモリ４から画像データが読み出され、１枚目の記録紙に第１の画像が印刷されるとともに、２枚目の記録紙に第２の画像及び補助画像が印刷される。
【００５１】
図１２は、第３実施形態の画像形成装置によって印刷された送信画像の一例を示した図である。図１２に示すように、送信画像の左半分に記録された１〜４行目の文字ラインからなる第１の画像Ｇ１と、送信画像の右半分に記録された５，６行目の文字ラインからなる第２の画像Ｇ２の縮小画像とが補助画像Ｇ３として、２枚目の記録紙Ｐ２の印字領域の先頭の印字位置から印刷され、それに続いて、第２の画像Ｇ２が２枚目の記録紙Ｐ２に印刷されている。
【００５２】
このように、第３実施形態の画像形成装置によれば、２枚目の記録紙に第１及び第２の画像の全てが印刷されるため、ユーザは、送信画像の全体像を把握することができ、第１及び第２の画像のつながりをより容易に認識することができる。
【００５３】
（第４実施形態）
図１３は、第４実施形態の画像形成装置の機能ブロック図を示している。なお、第１実施形態と同一の機能を有するものは同一の符号を付し説明を省略する。画像分割部８２ｃは、送信画像の先頭ラインから真中のラインまでの画像を第１のメモリ領域に展開するとともに、残りの画像を第２のメモリ領域に展開することで、送信画像を第１及び第２の画像に分割する。
【００５４】
空き容量検出部８４ｃは、第１のメモリ領域の空き領域の容量と第２のメモリ領域の空き領域の容量とを検出する。
【００５５】
補助画像抽出部８５ｃは、１枚目の記録紙において、第１のメモリ領域の空き領域の容量に相当するスペースのサイズを特定し、当該スペース内に第２の画像の全てが印刷されるように、第２の画像を縮小し、得られた画像を第１の補助画像として抽出するとともに、２枚目の記録紙において、第２のメモリ領域の空き領域の容量に相当するスペースのサイズを特定し、当該スペース内に第１の画像の全てが印刷されるように、第１の画像を縮小し、得られた画像を第２の補助画像として抽出する。
【００５６】
メモリ更新部８６ｃは、１枚目の記録紙に、まず、第１の画像が印刷され、続いて第１の補助画像が印刷されるように第１のメモリ領域を更新するとともに、２枚目の記録紙に、まず、第２の補助画像が印刷され続いて第２の画像が印刷されるように第２のメモリ領域を更新する。
【００５７】
次に、第４実施形態の画像形成装置の動作についてフローチャートを用いて説明する。なお、第４実施形態のメインルーチンは、図３に示すフローチャートと同一であるため説明を省略し、図３に示すフローチャートのステップＳ７のサブルーチンである図１４のみについて説明する。
【００５８】
まず、ステップＳ５１において、メモリ領域分割部８１により、画像メモリ４が第１のメモリ領域と第２のメモリ領域にお分割される。ステップＳ５２において、画像分割部８２ｃにより、送信画像の画像データの先頭ラインから真中のラインまでの画像が第１のメモリ領域に展開され、残りの画像が第２のメモリ領域に展開される。
【００５９】
ステップＳ５３において、画像分割部８２ｃにより、第１のメモリ領域に格納された画像データが第１の画像の画像データとして特定され、第２のメモリ領域に格納された画像データが第２の画像の画像データとして特定され、送信画像が第１及び第２の画像に分割される。
【００６０】
ステップＳ５４及びＳ５５の処理は、ステップＳ１４及び１５と同一であるため説明を省略する。ステップＳ５６において、空き容量検出部８４ｃにより、第１のメモリ領域の空き領域の容量と第２のメモリ領域の空き領域の容量とが検出される。
【００６１】
ステップＳ５７において、補助画像抽出部８５ｃにより、第１のメモリ領域の空き領域の容量に相当する１枚目の記録紙のスペースのサイズが特定され、当該サイズに第２の画像の全てが印刷されるような縮小率で第２の画像が縮小され、縮小された画像が第１の補助画像として抽出される。
【００６２】
ステップＳ５８において、補助画像抽出部８５ｃにより、第２のメモリ領域の空き領域の容量に相当する２枚目の記録紙のスペースのサイズが特定され、当該サイズに第１の画像の全てが印刷されるような縮小率で第１の画像が縮小され、縮小された画像が第２の補助画像として抽出される。
【００６３】
ステップＳ５９において、メモリ更新部８６ｃにより、１枚目の記録紙において、まず、第１の画像が印刷され、続いて第１の補助画像が印刷されるように第１のメモリ領域の画像データが更新されるとともに、２枚目の記録紙において、まず、第２の補助画像が印刷され、続いて、第２の画像が印刷されるように第２のメモリ領域の画像データが更新される。
【００６４】
ステップＳ６０において、画像記録部３により、画像メモリ４から画像データが読み出され、１枚目の記録紙に第１の印刷画像及び第１の補助画像が印刷され、２枚目の記録紙に第２の印刷画像及び第２の補助画像が印刷される。
【００６５】
図１５は、第４実施形態の画像形成装置によって印刷される送信画像を示した図である。図１５に示すように、送信画像の右半分に記録された４〜６行目の文字ラインからなる第２の画像Ｇ２が縮小画像が第１の補助画像Ｇ３１として、第１の画像Ｇ１に続いて、第１の記録紙Ｐ１に出力され、送信画像の左半分に記録された１〜３行目の文字ラインからなる第１の画像Ｇ１の縮小画像が第２の補助画像Ｇ３２として、第２の記録紙Ｐ２の先頭の印字位置から印刷され、それに続いて、第２の画像Ｇ２が第２の記録紙Ｐ２に印刷されている。
【００６６】
このように、第４実施形態の画像形成装置によれば、１枚目の記録紙に第２の画像が印刷されるとともに、２枚目の記録紙に第１の画像が印刷されるため、この原稿が１枚目の記録紙であることを速やかに把握することができるとともに、対応する２枚目の記録紙の特定を容易に行なうことができる。
【００６７】
なお、本発明は、以下の態様を採用してもよい。
【００６８】
（１）上記実施形態では、Ａ３サイズの送信画像を受信してＡ４サイズの記録紙に出力する態様を示したが、これに限定されず、Ａ４以外のＡ５，Ａ６，Ｂ３，Ｂ４，Ｂ５，Ｂ６サイズ等の記録紙に出力してもよい。この場合、送信画像のサイズに応じて画像メモリ４の容量を変更すればよい。また、送信画像のサイズもＡ３に限定されずＡ１，Ａ２，Ｂ１，Ｂ２等の他のサイズの原稿を受信してもよい。要するに、相手機からの送信画像のサイズに対して、出力しうる記録紙のサイズが小さい全ての場合について、本発明は適用される。
【００６９】
（２）上記実施形態では、送信画像を２枚の記録紙に分割する態様を示したが、これに限定されず、送信画像のサイズと記録紙のサイズとに応じて３枚以上に分割してもよい。
【００７０】
（３）上記実施形態では、ファクシミリ装置を例に挙げて説明したが、これに限定されず、ネットワークプリンタ、デジタル複合機に対しても本発明は適用される。
【図面の簡単な説明】
【００７１】
【図１】本発明にかかる画像形成装置をファクシミリ装置に適用したときのブロック構成図を示している。
【図２】第１実施形態の画像形成装置の制御部の機能ブロック図である。
【図３】第１〜第４実施形態の画像形成装置のメインルーチンを示すフローチャートである。
【図４】第１実施形態の画像形成装置のサブルーチンを示すフローチャートである。
【図５】画像補正部の処理を示した図である。
【図６】第１の実施形態の画像形成装置によって、記録紙に印刷された送信画像の一例を示した図である。
【図７】第２の実施形態の画像形成装置の制御部の機能ブロック図である。
【図８】第２の実施形態の画像形成装置のサブルーチンを示すフローチャートである。
【図９】第２の実施形態の画像形成装置によって、記録紙に印刷された送信画像の一例を示した図である。
【図１０】第３の実施形態の画像形成装置の制御部の機能ブロック図である。
【図１１】第３の実施形態の画像形成装置のサブルーチンを示すフローチャートである。
【図１２】第３の実施形態の画像形成装置によって、記録紙に印刷された送信画像の一例を示した図である。
【図１３】第４の実施形態の画像形成装置の制御部の機能ブロック図である。
【図１４】第４の実施形態の画像形成装置のサブルーチンを示すフローチャートである。
【図１５】第４の実施形態の画像形成装置によって、記録紙に印刷された送信画像の一例を示した図である。
【符号の説明】
【００７２】
１  画像読取部
２  画像処理部
３  画像記録部
４  画像メモリ
５  操作部
６  通信制御部
７  電話回線
８  制御部
６１  符号復号化部
６２  モデム
８１  メモリ領域分割部
８２  ８２ｃ  画像分割部
８３  画像補正部
８４  ８４ｃ  空き容量検出部
８５  ８５ａ  ８５ｂ  ８５ｃ  補助画像抽出部
８６  ８６ｃ  メモリ更新部
【図１】
2005161568.tif 000003
【図２】
2005161568.tif 000004
【図３】
2005161568.tif 000005
【図４】
2005161568.tif 000006
【図５】
2005161568.tif 000007
【図６】
2005161568.tif 000008
【図７】
2005161568.tif 000009
【図８】
2005161568.tif 000010
【図９】
2005161568.tif 000011
【図１０】
2005161568.tif 000012
【図１１】
2005161568.tif 000013
【図１２】
2005161568.tif 000014
【図１３】
2005161568.tif 000015
【図１４】
2005161568.tif 000016
【図１５】
2005161568.tif 000017